(57)【特許請求の範囲】
【請求項１】
着用者の腹側に配される腹側シート部材と、着用者の背側に配される背側シート部材と、腹側シート部材及び背側シート部材に架け渡して固定された縦長の吸収性本体とを具備し、
腹側シート部材及び背側シート部材は、それぞれの側縁部に、腹側シート部材と背側シート部材との間が接合されてサイドシール部を形成している接合部と、該接合部の下方延長線上に位置し、腹側シート部材と背側シート部材との間が接合されていない非接合部とが形成されているパンツ型吸収性物品であって、
吸収性本体は、吸収体、及び該吸収体の長手方向の両側縁それぞれの外方に位置する側部シート部を有しており、
前記側部シート部は、弾性部材が伸長状態で配されていることによって吸収性本体の長手方向に伸縮する伸縮領域を有しており、
腹側シート部材は、前記伸縮領域が接合されて該伸縮領域と共に伸縮する腹側伸縮部を有し、背側シート部材は、前記伸縮領域が接合されて該伸縮領域と共に伸縮する背側伸縮部を有しており、
腹側伸縮部は、吸収性本体の長手方向に沿う長さが、背側伸縮部の同長さより長く、
前記吸収性本体は、腹側シート部材の上端縁から吸収性本体の端部までの長さと背側シート部材の上端縁から吸収性本体の端部までの長さとが等しい、パンツ型吸収性物品。
【請求項２】
着用者の腹側に配される腹側シート部材と、着用者の背側に配される背側シート部材と、腹側シート部材及び背側シート部材に架け渡して固定された縦長の吸収性本体とを具備し、
腹側シート部材及び背側シート部材は、それぞれの側縁部に、腹側シート部材と背側シート部材との間が接合されてサイドシール部を形成している接合部と、該接合部の下方延長線上に位置し、腹側シート部材と背側シート部材との間が接合されていない非接合部とが形成されているパンツ型吸収性物品であって、
吸収性本体は、吸収体、及び該吸収体の長手方向の両側縁それぞれの外方に位置する側部シート部を有しており、
前記側部シート部は、弾性部材が伸長状態で配されていることによって吸収性本体の長手方向に伸縮する伸縮領域を有しており、
腹側シート部材は、前記伸縮領域が接合されて該伸縮領域と共に伸縮する腹側伸縮部を有し、背側シート部材は、前記伸縮領域が接合されて該伸縮領域と共に伸縮する背側伸縮部を有しており、
腹側伸縮部は、吸収性本体の長手方向に沿う長さが、背側伸縮部の同長さより長く、
前記吸収性本体は、腹側シート部材の延出部に固定されている幅が、背側シート部材の延出部に固定されている幅よりも小さい、パンツ型吸収性物品。
【請求項３】
着用者の腹側に配される腹側シート部材と、着用者の背側に配される背側シート部材と、腹側シート部材及び背側シート部材に架け渡して固定された縦長の吸収性本体とを具備し、
腹側シート部材及び背側シート部材は、それぞれの側縁部に、腹側シート部材と背側シート部材との間が接合されてサイドシール部を形成している接合部と、該接合部の下方延長線上に位置し、腹側シート部材と背側シート部材との間が接合されていない非接合部とが形成されているパンツ型吸収性物品であって、
吸収性本体は、吸収体、及び該吸収体の長手方向の両側縁それぞれの外方に位置する側部シート部を有しており、
前記側部シート部は、弾性部材が伸長状態で配されていることによって吸収性本体の長手方向に伸縮する伸縮領域を有しており、
腹側シート部材は、前記伸縮領域が接合されて該伸縮領域と共に伸縮する腹側伸縮部を有し、背側シート部材は、前記伸縮領域が接合されて該伸縮領域と共に伸縮する背側伸縮部を有しており、
腹側伸縮部は、吸収性本体の長手方向に沿う長さが、背側伸縮部の同長さより長く、
腹側シート部材の一対のサイドシール部間に位置する本体部と、該腹側シート部材の延出部とに、それぞれ、複数本の横方向弾性部材が横方向に沿って伸長状態で配されており、
前記腹側シート部材の延出部に配された横方向弾性部材は、腹側シート部材の本体部に配された横方向弾性部材より高い伸長率で配されている、パンツ型吸収性物品。
【請求項４】
腹側伸縮部の長さと背側伸縮部の長さとの差が、吸収性本体の腹側シート部材上に位置する部分の長さと吸収性本体の背側シート部材上に位置する部分の長さの差以上である、請求項１〜３の何れか１項に記載のパンツ型吸収性物品。
【請求項５】
腹側シート部材の延出部の延出長さが、背側シート部材の延出部の延出長さよりも短い、請求項１〜４の何れか１項に記載のパンツ型吸収性物品。
【請求項６】
腹側シート部材及び背側シート部材が何れも矩形状である、請求項１〜５の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されてウエスト開口部及び一対のレッグ開口部が形成されているパンツ型吸収性物品が知られている。
このようなパンツ型吸収性物品を連続生産する際には、外包材の帯状原反にレッグ開口部形成用の貫通孔や切り欠きを形成し、不要な部分をトリムとして除去するのが一般的である。
【０００３】
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている。例えば、特許文献１には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
【０００４】
また、特許文献２には、腹側外装シートと背側外装シートとから形成された筒状の胴回り部と吸収性本体とを備え、背側外装シートが背側本体部とその下側に延出する背側延出部とを有し、該背側延出部の両側である臀部カバー部に設けられた第２弾性伸縮部材の伸張率を、背側本体部の中間部および下端部に設けられた第１弾性伸縮部材の伸張率よりも高くしたパンツ型紙おむつが記載されている。
また、特許文献３には、腹側シート部材、背側シート部材及びこれらに接合されて両者を連結する股間シート部材とを備えた使い捨ておむつが記載されている。
【先行技術文献】
【特許文献】
【０００５】
【特許文献１】特表２００８−５０８０８２号公報
【特許文献２】特開２００８−１７８６８２号公報
【特許文献３】特開２００９−６１０４６号公報
【発明の概要】
【発明が解決しようとする課題】
【０００６】
外包材が、着用者の腹側に配される腹側シート部材と着用者の背側に配される背側シート部材とに分割されたパンツ型吸収性物品は、例えば、腹側シート部材の帯状原反と背側シート部材の帯状原反とを離間させて搬送しつつ、吸収性本体を、両者間に架け渡すように間欠的に固定し、次いで、腹側シート部材の帯状原反と背側シート部材の帯状原反とが重なるように二つ折りした後、サイドシール部形成用の接合を行い、その接合と同時又はその後に切断して個々の使い捨ておむつに分割することにより効率的に製造することができ、腹側に配される部分と背側に配される部分とが連続する幅広の外包材にレッグ開口部形成用の貫通孔や切り欠きを形成する場合に比して、外包材の原反からのトリムの除去を不要としたり、除去すべきトリムの小型化等を図ることができる。
【０００７】
しかし、特許文献１及び２に記載のプルオン衣類やパンツ型紙おむつは、背側シート部材の下端が曲線状に加工されているため、製造の際にトリムの除去が必要である。
特許文献３に記載の使い捨ておむつは、縦方向中心線に関しほぼ対称な形状を有しており、そのため、腹側シート部材と背側シート部材との形態的な差が少なくなって、おむつの前後を視覚的に判別しづらくなる。
【０００８】
従って、本発明は、外包材が腹側シート部材と背側シート部材とに分割され、効率的に製造可能なパンツ型吸収性物品でありながら、腹側シート部材と背側シート部材を似たような形状としても、おむつの前後を容易に判別することのできるパンツ型吸収性物品に関する。
【課題を解決するための手段】
【０００９】
本発明は、着用者の腹側に配される腹側シート部材と、着用者の背側に配される背側シート部材と、腹側シート部材及び背側シート部材に架け渡して固定された縦長の吸収性本体とを具備し、腹側シート部材及び背側シート部材は、それぞれの側縁部に、腹側シート部材と背側シート部材との間が接合されてサイドシール部を形成している接合部と、該接合部の下方延長線上に位置し、腹側シート部材と背側シート部材との間が接合されていない非接合部とが形成されているパンツ型吸収性物品であって、吸収性本体は、吸収体、及び該吸収体の長手方向の両側縁それぞれの外方に位置する側部シート部を有しており、前記側部シート部は、弾性部材が伸長状態で配されていることによって吸収性本体の長手方向に伸縮する伸縮領域を有しており、腹側シート部材は、前記伸縮領域が接合されて該伸縮領域と共に伸縮する腹側伸縮部を有し、背側シート部材は、前記伸縮領域が接合されて該伸縮領域と共に伸縮する背側伸縮部を有しており、腹側伸縮部は、吸収性本体の長手方向に沿う長さが、背側伸縮部の同長さより長い、パンツ型吸収性物品を提供するものである。
【発明の効果】
【００１０】
本発明のパンツ型吸収性物品は、外包材が腹側シート部材と背側シート部材とに分割され、効率的に製造可能なパンツ型吸収性物品でありながら、腹側シート部材と背側シート部材とを似たような形状としても、おむつの前後を容易に判別することができるものである。
【図面の簡単な説明】
【００１１】
【図１】図１は、本発明の第１実施形態であるパンツ型使い捨ておむつの使用状態（着用状態）を示す図であり、（ａ）は、腹側部側から見た図、（ｂ）は、側方から見た図、（ｃ）は、背側部側から見た図である。
【図２】図２は、図１に示すパンツ型使い捨ておむつの展開且つ伸長状態を示す一部破断平面図である。展開且つ伸長状態とは、サイドシール部を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図２のＩＩＩ−ＩＩＩ線拡大断面図である。
【図４】図４は、図２のＩＶ−ＩＶ線拡大断面図である。
【図５】図５は、図２のＶ−Ｖ線拡大断面図である。
【図６】図６は、図１に示すパンツ型使い捨ておむつの収縮状態（自然状態）の外観を示す模式図である。
【図７】図７は、吸収性本体と腹側シート部材及び背側シート部それぞれの延出部との接合態様を示す模式平面図である。
【図８】図８は、本発明の第２実施形態のパンツ型使い捨ておむつを示す図で、（ａ）は、展開且つ伸長状態のおむつの吸収性本体をおむつ内面側から見た図、（ｂ）は、（ａ）のＡ−Ａ線模式断面図（自然状態）、（ｃ）は、（ａ）のＢ−Ｂ線模式断面図である。
【発明を実施するための形態】
【００１２】
以下、本発明のパンツ型吸収性物品を、その好ましい実施形態に基づき図面を参照しながら説明する。
本発明の第１実施形態であるパンツ型使い捨ておむつ１（以下、おむつ１ともいう）は、図１及び図２に示すように、着用者の腹側に配される腹側シート部材２Ａと、着用者の背側に配される背側シート部材２Ｂと、腹側シート部材２Ａ及び背側シート部材２Ｂに架け渡して固定された吸収性本体３とを具備し、腹側シート部材２Ａの両側縁部２ａ，２ａと背側シート部材２Ｂの両側縁部２ｂ，２ｂとが接合されて形成された一対のサイドシール部４，４を有している。
【００１３】
腹側シート部材２Ａは、おむつ（吸収性物品）縦方向（Ｘ方向）の長さＬａが、サイドシール部４の同方向の長さＬ４より長く、該サイドシール部４より下方（着用時における下方）に延出する腹側延出部２１ａを有している。また、背側シート部材２Ｂは、おむつ（吸収性物品）縦方向（Ｘ方向）の長さＬｂが、サイドシール部４の同方向の長さＬ４より長く、該サイドシール部４より下方（着用時における下方）に延出する背側延出部２１ｂを有している。
【００１４】
より詳細に説明すると、おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ（吸収性物品）１の縦方向は、腹側部Ａから股下部Ｃを経て背側部Ｂに亘る方向又はその逆方向（図２中Ｘ方向）であり、おむつ（吸収性物品）１の横方向は、着用者の胴回り方向に沿う方向であり、おむつ（吸収性物品）１の縦方向と交差する方向（図２中Ｙ方向）である。
【００１５】
おむつ１の吸収性本体３は、図３に示すように、液透過性の表面シート３１、液不透過性又は撥水性の裏面シート３２、及び両シート３１、３２間に介在配置された液保持性の吸収体３３を有しており、図２に示すように、Ｘ方向に長い長方形状に形成されている。吸収体３３は、パルプ繊維等の繊維の集合体（不織布であっても良い）又はこれに吸水性ポリマーの粒子を保持させてなる吸収性コア３３ａと、該吸収性コア３３ａを被覆するコアラップシート３３ｂ，３３ｃからなる。吸収体３３も、Ｘ方向に長い長方形状に形成されている。
【００１６】
吸収性本体３は、長手方向の両側部に、吸収体３３の長手方向の両側縁それぞれの外方に位置する側部シート部３４，３４を有している。
側部シート部３４は、図２に示すように、吸収性本体３の長手方向に沿って延びており、吸収性本体３の全長に亘って存在している。側部シート部３４は、図３に示すように、液抵抗性ないし撥水性のシート材３５及び該シート材３５に固定された弾性部材３６，３６を備えている。
側部シート部３４は、その長手方向における弾性部材３６が配されている範囲の略全体が、弾性部材３６によって吸収性本体３の長手方向に伸縮する伸縮領域３４ｃとなっている。
【００１７】
側部シート部３４の伸縮領域３４ｃは、股下部Ｃ（吸収性本体３の縦方向（Ｘ方向）における腹側シート部材２Ａと背側シート部材２Ｂとの間）に、側部ギャザーを形成する。
即ち、股下部Ｃにおける伸縮領域３４ｃは、側部シート部３４に伸長状態で配された弾性部材３６が収縮することで、側部シート部３４を構成するシート材３５が襞寄せされたり波状の断面形状に変形して、側部ギャザーを形成する。側部ギャザーは、おむつ１の自然状態及び／又は着用状態で形成されれば良く、また、おむつ１の着用時に、後述する線状接合部３０の外縁端を起立端３４ｂとして、着用者の肌側に向かって起立する。
【００１８】
また、伸縮領域３４ｃは、図２に示すように、腹側シート部材２Ａ上及び背側シート部材２Ｂ上にも延在している。
そして、腹側シート部材２Ａは、伸縮領域３４ｃが接合されて該伸縮領域３４ｃと共に伸縮する腹側伸縮部３６ａを有しており、背側シート部材２Ｂは、伸縮領域３４ｃが接合されて該伸縮領域３４ｃと共に伸縮する背側伸縮部３６ｂを有している。側部シート部３４の伸縮領域３４ｃは、前述の通り、吸収性本体３の長手方向に伸縮するものであるため、腹側伸縮部３６ａ及び背側伸縮部３６ｂも、吸収性本体３の長手方向に伸縮し、着用状態のおむつ１においては、概ね図１の上下方向に伸縮する。
そして、図２に示すように、腹側伸縮部３６ａと背側伸縮部３６ｂの、吸収性本体３の長手方向に沿う方向の長さを比較したときに、腹側伸縮部３６ａの長さＬ１が、背側伸縮部３６ｂの長さＬ２よりも長くなっている。
【００１９】
本実施形態のおむつ１の場合についてより具体的に説明すると、図２に示すように、弾性部材３６は、腹側シート部材２Ａ側の端部が、吸収性本体３の端部３ａとほぼ同位置にあり、弾性部材３６及び側部シート部３４の伸縮領域３４ｃは、Ｘ方向における、腹側シート部材２Ａと重なっている部分の全域において伸縮性を発現する。また、側部シート部３４は、腹側シート部材２Ａと重なっている部分の実質的に全域が、図４に示すように、接着剤８を介して腹側シート部材２Ａ上に接合されており、腹側シート部材２Ａは、側部シート部３４が重なっている部分のＸ方向の全域が腹側伸縮部３６ａとなっている。
一方、弾性部材３６は、背側シート部材２Ｂ側の端部が、吸収性本体３の端部３ｂに達しない位置にある。側部シート部３４は、背側シート部材２Ｂと重なっている部分の実質的に全域が、図５に示すように、接着剤８を介して背側シート部材２Ｂ上に接合されているが、弾性部材３６及び側部シート部３４の伸縮領域３４ｃが、背側シート部材２Ｂ上における股下部Ｃ寄りの部分のみに存在することによって、背側シート部材２Ｂは、側部シート部３４が重なっている部分のＸ方向の股下部Ｃ寄りの部分のみが背側伸縮部３６ｂとなっている。
【００２０】
なお、腹側伸縮部３６ａにおける弾性部材３６は、図４に示すように、図示しない接着剤等を介して、側部シート部３４を構成するシート材３５間に固定されており、弾性部材３６が内部に固定された側部シート部３４が、接着剤８を介して腹側シート部材２Ａに固定されている。背側伸縮部３６ｂを形成するにおける弾性部材３６も同様であり、図５に示すように、図示しない接着剤等を介して、側部シート部３４を構成するシート材３５間に固定されており、該弾性部材３６が内部に固定された側部シート部３４が、接着剤８を介して背側シート部材２Ｂに固定されている。
【００２１】
このように腹側伸縮部３６ａの長さＬ１を背側伸縮部３６ｂの長さＬ２よりも長くすると、自然状態におけるおむつ１において、腹側シート部材２Ａが背側シート部材２Ｂよりもおむつ縦方向に大きく収縮する。それにより、おむつ１は、図６に示すように、展開且つ伸長状態においておむつを、その全長Ｌを２等分するように折り畳んだときに股下部Ｃに生じる折曲線９１の位置が、腹側部Ａ寄りに移動すると共に、その折曲線９１の近傍部あるいはそれより腹側部側に位置する部分９２が、着用時に着用者の前側に配すべき面側に隆起した状態となる。この形態的な変化により、おむつ１は、展開且つ伸長状態におおける腹側シート部材２Ａと背側シート部材２Ｂとの形状が似ていたとしても、自然状態においては形態の差が大きくなり、おむつ１の前後を視覚的に容易に判別できるようになる。
【００２２】
また、腹側シート部材２Ａが背側シート部材２Ｂよりもおむつ縦方向に大きく収縮することによって、腹側延出部２１ａの下端位置と、背側延出部２１ｂの下端位置との間にズレも生じやすくなる。この形態的な差により、おむつ１の前後の視覚的な判別が一層容易となる。
【００２３】
上述したような効果は、腹側伸縮部３６ａの長さＬ１と背側伸縮部３６ｂの長さＬ２との差（Ｌ１―Ｌ２）が、吸収性本体３の腹側シート部材２Ａ上に位置する部分の長さと吸収性本体３の背側シート部材２Ｂ上に位置する部分の長さの差以上である場合や、腹側シート部材の上端縁２ｄから吸収性本体３の端部３ａまでの長さＬ３ａと背側シート部材２Ｂの上端縁２ｄから吸収性本体３の端部３ｂまでの長さＬ３ｂとが略等しい場合に一層効果的である。
また、腹側伸縮部３６ａの長さＬ１と背側伸縮部３６ｂの長さＬ２との差（Ｌ１―Ｌ２）は、形態の差による前後の判別性の向上の観点から、全長Ｌの４％以上であることが好ましく、より好ましくは全長Ｌの４〜２５％である。
【００２４】
なお、弾性部材３６は、図２に示すように、Ｘ方向と平行に配されていることが好ましいが、Ｘ方向に対してある程度傾斜していても良いし、吸収性本体３の幅方向の内方又は外方に凸に湾曲させて配しても良い。
【００２５】
本実施形態のおむつ１は、吸収性本体３の長手方向の両側部に、吸収性本体３の長手方向に沿って延びる一対の立体ギャザー形成部３８を有している。
立体ギャザー形成部３８は、シート材３５と、該シート材３５に固定された立体ギャザー形成用の弾性部材３９とを有してなる。立体ギャザー形成部３８は、少なくとも股下部Ｃに立体ギャザー３８ｃを形成する。本実施形態のおむつ１におけるシート材３５は、１枚のシートが、立体ギャザー形成部３８における、立体ギャザー３８ｃの自由端側の端部３８ａに配される折り曲げ部に沿って２つ折りされて２層構造とされている積層シートであり、該積層シートの層間に弾性部材３９が接着剤を介して固定されている。また、その積層シートは、側部シート部３４における、側方ギャザーの自由端側の端部３４ａに配される折り曲げ部に沿って更に２つ折りされており、それによって相対向した２枚の積層シート間に弾性部材３６が接着剤を介して固定されている。また、その積層シートどうしは、吸収体３３の側縁部の近傍、より詳細には側縁部のやや外方の位置に形成された線状接合部３０において、両者間に表面シート３１を介在させた状態で接合一体化されている。
【００２６】
線状接合部３０は、図２に示すように、長方形状の吸収体３３の両側縁部それぞれに沿って延びており、また、吸収体３３及び吸収性本体３のＸ方向の全長に亘って延びている。線状接合部３０は、連続直線状に形成されていることが好ましいが、点線状に形成されていても良い。また、線状接合部３０を形成する際の接合方法としては、ヒートシール、超音波シール、高周波シール、接着剤の各種公知の接合方法が用いられる。
【００２７】
立体ギャザー３８ｃは、おむつ１の着用時に、着用者の肌側に向かって起立し、吸収性本体３から幅方向外方への液の流出を阻止する。表面シート３１、裏面シート３２、吸収性コア３３ａ，コアラップシート３３ｂ，３３ｃの形成材料としては、それぞれ、この種の吸収性物品に従来用いられているものと同様のものを用いることができる。吸収性本体３の裏面シート３２側には、肌触りを良くする観点等から不織布等からなる外装シート３２ａを配することもできる。
【００２８】
腹側シート部材２Ａは、おむつ１の展開且つ伸長状態（図２参照）において、横長の長方形状をなしており、おむつ縦方向（Ｘ方向）に沿う左右一対の側縁部２ａ，２ａと、おむつ横方向（Ｙ方向）に沿う上下一対の端縁部２ｃ，２ｄとを有している。背側シート部材２Ｂも、同様に、横長の長方形状をなしており、おむつ縦方向（Ｘ方向）に沿う左右一対の側縁部２ｂ，２ｂと、おむつ横方向（Ｙ方向）に沿う上下一対の端縁部２ｃ，２ｄとを有している。腹側シート部材２Ａと背側シート部材２Ｂは、図２のようにおむつ縦方向（Ｘ方向）の長さがおむつ横方向（Ｙ方向）において均一である。
【００２９】
そして、腹側シート部材２Ａは、前記側縁部２ａ，２ａそれぞれに、腹側シート部材２Ａと背側シート部材２Ｂとの間が接合されてサイドシール部４を形成している接合部２ａ’と、該接合部２ａ’の下方に延出し、腹側シート部材２Ａと背側シート部材２Ｂとの間が接合されていない非接合部２ａ”とを有している。また、背側シート部材２Ｂも同様に、前記側縁部２ｂ，２ｂそれぞれに、背側シート部材２Ｂと腹側シート部材２Ａとの間が接合されてサイドシール部４を形成している接合部２ｂ’と、該接合部２ｂ’の下方に延出し、背側シート部材２Ｂと腹側シート部材２Ａとの間が接合されていない非接合部２ｂ”とを有している。図２に示すように、非接合部２ａ”は、接合部２ａ’の延長線上に形成され、非接合部２ｂ”は、接合部２ｂ’の延長線上に形成されている。
そして、腹側シート部材２Ａの側縁部２ａの一部である接合部２ａ’と、背側シート部材２Ｂの側縁部２ｂの一部である接合部２ｂ’とが接合されていることによって、おむつ１に、前述した一対のサイドシール部４，４が形成されている。この接合には、例えばヒートシール、高周波シール、超音波シール、接着剤等が用いられる。また、この接合によって、サイドシール部４，４と共に、ウエスト開口部５及び一対のレッグ開口部６，６が形成されている。
【００３０】
腹側シート部材２Ａは、このように、前記接合部２ａ’，２ａ’間に位置する本体部２０ａ（以下、腹側本体部２０ａという）及び該本体部２０ａの下方（股下部Ｃ側）に延出する延出部２１ａ（以下、腹側延出部２１ａともいう）を有している。同様に、背側シート部材２Ｂも、前記接合部２ｂ’，２ｂ’間に位置する本体部２０ｂ（以下、背側本体部２０ｂという）及び該本体部２０ａの下方（股下部Ｃ側）に延出する延出部２１ｂ（以下、背側延出部２１ｂともいう）を有している。
【００３１】
腹側シート部材２Ａの側縁部２ａの前記接合部２ａ’及び前記非接合部２ａ”は、おむつの展開且つ伸長状態（図２参照）において、おむつ縦方向に連続して延びている。また、背側シート部材２Ｂの側縁部２ｂの前記接合部２ｂ’及び前記非接合部２ｂ”も、おむつの展開且つ伸長状態（図２参照）において、おむつ縦方向に連続して延びている。図１には、ウエスト開口部５に幼児の胴部７ａ、レッグ開口部６，６に幼児の脚部７ｂ，７ｂが挿通された状態が示されている。
【００３２】
おむつ１における腹側シート部材２Ａ及び背側シート部材２Ｂは何れも、図４及び図５に示すように、おむつの外面をなす外層シート２２と、外層シート２２の内面側に配された内層シート２３と、両シート２２，２３間にＸ方向に離間させて配された複数本の糸状の弾性部材２４とを備えており、それぞれ、図２に示すように、ウエスト伸縮部Ｇ１、胴回り伸縮部Ｇ２、延出部伸縮部Ｇ３を有している。
【００３３】
腹側シート部材２Ａ及び背側シート部材２Ｂは、２枚のシート２２，２３間に伸長状態で配した弾性部材２４の収縮により弾性伸縮性を発現するものについては、図２に示すように、弾性部材２４を伸長させた状態で、一対の側縁部２ａ，２ａどうし、及び一対の側縁部２ｂ，２ｂどうしが、それぞれ互いに平行であることが好ましい。また、腹側シート部材２Ａ及び背側シート部材２Ｂは、弾性部材２４を伸長させた状態で、横長長方形状であることが好ましい。
【００３４】
ウエスト伸縮部Ｇ１は、腹側シート部材２Ａ及び背側シート部材２Ｂのそれぞれにおいて、おむつ１の縦方向（Ｘ方向）における、吸収性本体３の長手方向の端部３ａ，３ｂより外方に形成されている。胴回り伸縮部Ｇ２は、腹側シート部材２Ａ及び背側シート部材２Ｂのそれぞれにおいて、おむつ１の縦方向（Ｘ方向）における、ウエスト伸縮部Ｇ１と腹側延出部２１ａ又は背側延出部２１ｂとの間に形成されている。延出部伸縮部Ｇ３は、腹側延出部２１ａ又は背側延出部２１ｂに形成されている。胴回り伸縮部Ｇ２及び延出部伸縮部Ｇ３は、それぞれ、おむつ１の横方向（Ｙ方向）における、少なくとも、吸収性本体３の長手方向の両側縁それぞれより外方に位置する部分に形成されていることが好ましい。
【００３５】
ウエスト伸縮部Ｇ１、胴回り伸縮部Ｇ２、延出部伸縮部Ｇ３は、それぞれ、おむつ１の横方向（Ｙ方向）における、少なくとも、吸収体３３の両側縁それぞれより外方に位置する部分において伸縮性を発現することが好ましい。
図１〜図５には、ウエスト伸縮部Ｇ１、胴回り伸縮部Ｇ２、延出部伸縮部Ｇ３を形成する弾性部材２４が、吸収体３３を横断して、腹側シート部材２Ａ及び背側シート部材２Ｂの全幅に亘って延びている実施形態を示したが、胴回り伸縮部Ｇ２及び／又は延出部伸縮部Ｇ３を形成する弾性部材２４は、吸収体３３の幅方向中央部と重なる部分においては、熱処理等により弾性部材の弾性を喪失させたり、弾性部材を切断したりする等により、該部分では弾性部材２４が腹側シート部材２Ａ及び背側シート部材２Ｂに伸縮性を付与しないようにすることが好ましい。
【００３６】
腹側シート部材２Ａ及び背側シート部材２Ｂを構成する２枚のシート２２，２３間は、腹側シート部材２Ａ及び背側シート部材２Ｂそれぞれの実質的に全域において接着剤で固定されていても良いし、特開２００５−８０８５９号公報に記載の弾性伸縮部材における２枚のシート材間のように、弾性部材２４を通らないように散点状に形成された多数の接合部において接合されていても良い。
【００３７】
吸収性本体３は、長手方向の一端側（腹側シート部材２Ａと重なっている部分）が、腹側シート部材２ＡのＹ方向の中央部に接着剤８を介して固定され、長手方向の他端側（背側シート部材２Ｂと重なっている部分）が、背側シート部材２ＢのＹ方向の中央部に接着剤８を介して固定されている。
【００３８】
本実施形態のおむつ１における側部シート部３４，３４は、図２及び図４に示すように、それぞれ、おむつ１の横方向（Ｙ方向）の外方側に倒した状態で、腹側シート部材２Ａの本体部２０ａ及び腹側延出部２１ａに固定されている。また、側部シート部３４，３４は、図２及び図５に示すように、それぞれ、おむつ１の横方向（Ｙ方向）の外方側に倒した状態で、背側シート部材２Ｂの本体部２０ｂ及び背側延出部２１ｂに固定されている。
【００３９】
吸収性本体３は、幅方向中央部３ｃも、背側シート部材の本体部２０ｂ及び背側延出部２１ｂのそれぞれに対して接着剤８等により固定されていることが、背側シート部材２Ｂの吸収性本体３からの浮きを防止し、製品の外観的完成度を向上させる観点、および接着により剛性を向上させ、吸収性コアの幅を維持しモレを防止する観点から好ましい。
【００４０】
本実施形態のおむつ１は、背側シート部材２Ｂに背側延出部２１ｂを有するため、腹側シート部材２Ａの両側縁部と背側シート部材２Ｂの両側縁部とがおむつ縦方向の全域で接合されている従来のおむつに比して、着用時に、背側シート部材２Ｂの下縁部２ｃが着用者のより下方に位置するため、背側シート部材２Ｂの下縁部２ｃより下方や吸収性本体３の側方から、着用者の臀部の一部がはみ出した状態となりにくい。
また、本実施形態のおむつ１においては、腹側シート部材２Ａにも腹側延出部２１ａが形成されているため、おむつ１を腹側部Ａ側から見たときも、ふんどしのような外観を呈さず外観が良好である。
また、腹側延出部２１ａ及び背側延出部２１ｂに形成された延出部伸縮部Ｇ３がそれぞれに配された弾性部材２４によって適度に収縮するため、おむつ１を着用したときに、腹側シート部材２Ａの腹側延出部２１ａに存する側縁部２ａと、背側シート部材２Ｂの背側延出部２１ｂに存する側縁部２ｂが、図１（ｂ）に示すように、腹側部方向と背側部方向に分かれて逆Ｙ字状に開く。そのため、おむつ１を側方から見たときの外観が良好であり、漏れにくい印象を与えるものとなる。
【００４１】
また、腹側シート部材２Ａにも腹側延出部２１ａが形成されており、その腹側延出部２１ａにおむつ横方向に伸縮する延在部伸縮部Ｇ３が形成されているため、腹側延出部２１ａが鼠蹊部を覆うように面で当接し、排尿がなされた場合、その増加した重量を、腹側延出部２１ａ並びにその上の腹側シート部材の本体部２０ａ及び背側シート部材の本体部２０ｂにて支えることとなり、圧力の分散により、脚廻りにゴム跡等がより付きにくくなる。
【００４２】
また、本実施形態のおむつ１における吸収性本体３は、腹側延出部２１ａに対して図７に８Ａで示す範囲において接合されており、背側延出部２１ｂに対して図７に８Ｂで示す範囲において接合されている。そして、吸収性本体３は、腹側延出部２１ａに固定されている幅Ｗａが、背側延出部２１ｂに固定されている幅Ｗｂよりも小さくなっている。
幅Ｗａ＞幅Ｗｂとすることにより、腹側延出部２１ａが収縮する程度と、背側延出部２１ｂが収縮する程度との間に差を付けることが一層容易となる。
【００４３】
また、本実施形態のおむつ１においては、腹側シート部材の本体部２０ａと、腹側シート部材の延出部２１ａとに、それぞれ、複数本の横方向弾性部材２４が横方向に沿って伸長状態で配されており、腹側シート部材の延出部２１ａに配された横方向弾性部材は、腹側シート部材の本体部２０ａに配された横方向弾性部材２４より高い伸長率で配されている。これにより、腹側延出部２１ａがおむつ横方向に大きく収縮し、展開且つ伸長状態のおむつ１における、腹側シート部材２Ａと背側シート部材２Ｂとの形状が似ていても、収縮した状態の形状の差によって、おむつ１の前後を視覚的に容易に判別できるようになる。
【００４４】
このような観点から、腹側延出部２１ａに配する横方向弾性部材の伸長率と、腹側本体部２０ａに配する横方向弾性部材の伸長率との差は、２５〜８０％であることが好ましく、４０〜６０％であることがより好ましい。
【００４５】
腹側延出部２１ａ又は腹側本体部２０ａに配された横方向弾性部材の伸長率は下記方法により測定することができる。
＜伸長率の測定方法＞
（１）未伸長状態のおむつ１について、各伸縮部に、幅方向に沿って長さ２０ｍｍの印を付す。
（２）この印の両端部において、シート部材と弾性部材を把持して、各伸縮部のシート部材における襞をなくした状態（伸展状態）まで各伸縮部を幅方向に伸長する。
（３）伸長後の印の長さ（両端部間の長さ）Ｌｐを測定する。
（４）（Ｌｐ／２０）×１００（％）を、各伸縮部に配された弾性部材の伸長率とする。
（５）未伸長状態のおむつ１について、各伸縮部に、幅方向に沿って長さ２０ｍｍの印を付すことができない場合は、可能な限り大きな間隔に印を付して測定する。
【００４６】
腹側延出部２１ａの延出長さＬ５（おむつ縦方向の長さ，図２参照）は、腹側シート部材２Ａの同方向の長さＬａ（図２参照）の５〜６０％、特に２０〜４０％であることが好ましく、背側延出部２１ｂの延出長さＬ６（おむつ縦方向の長さ，図２参照）は、背側シート部材２Ｂの同方向の長さＬｂ（図２参照）の５〜６０％、特に２０〜４０％であることが好ましい。また、幼児用のおむつの場合、腹側及び背側延出部２１ａ，２１ｂそれぞれの延出長さＬ５，Ｌ６は、１０〜１００ｍｍであることが好ましく、より好ましくは２０〜７０ｍｍである。成人用のおむつの場合、腹側及び背側延出部２１ａ，２１ｂそれぞれの延出長さＬ５，Ｌ６は、１０〜１５０ｍｍであることが好ましく、より好ましくは２０〜１００である。
【００４７】
また、背側延出部２１ｂの延出長さＬ６は、腹側延出部２１ａの延出長さＬ５と同じ（Ｌ５＝Ｌ６）か、それ以上（Ｌ６＞Ｌ５）であることがその前後を視覚的に判断できるといった観点から好ましい。背側延出部２１ｂを、腹側延出部２１ａより長くすることにより、腹側伸縮部３６ａの長さＬ１を背側伸縮部３６ｂの長さＬ２よりも長くすることの相乗効果でおむつ１の前後が見た目に一層判別し易くなり、衣類に似た外観となる。また、腹側のレック開口部が見た目に細くスッキリした外観となる。
また、腹側延出部２１ａを備えることにより装着状態におけるおむつ１のズレ落ちを抑えることができる。また、背側延出部２１ｂを備えることにより装着状態における着用者の臀部を覆うことができ、幼児用であれば親へ安心感を与えることができる。
また、腹側延出部２１ａと背側延出部２１ｂの両方を備えると、装着状態におけるおむつ１のサイドシール部４をほぼ直線とすることができる。
背側延出部２１ｂの延出長さＬ６に対する腹側延出部２１ａの延出長さＬ５の比（Ｌ５／Ｌ６）は、０．２〜０．８であることが好ましく、０．４〜０．６であることがより好ましい。
【００４８】
本実施形態のおむつ１においては、外層シート２２及び内層シート２３は、ウエスト開口部の開口周縁端をなす端縁部２ｄにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート３１側の面に接合されている。
【００４９】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００５０】
上述したおむつ１は、例えば、腹側シート部材２Ａの帯状原反と背側シート部材２Ｂの帯状原反とを離間させて搬送しつつ、吸収性本体３を、両者間に架け渡すように間欠的に固定し、次いで、腹側シート部材２Ａの帯状原反と背側シート部材２Ｂの帯状原反とが重なるように二つ折りした後、サイドシール部４を形成するための熱シール等（接合）を行い、その接合と同時又はその後に切断して個々の使い捨ておむつに分割することにより効率的に製造することができる。この方法によれば、レッグ開口部形成用の貫通孔や切り欠きを形成する場合に比して、外包材の原反からのトリムの除去を不要としたり、除去すべきトリムの小型化等を図ることができる。特に腹側シート部材２Ａ及び背側シート部材２Ｂの帯状原反を流れ方向と直交する直線で切断したものが、完成したおむつ１の腹側シート部材２Ａ及び背側シート部材２Ｂとなるようにすることがトリムの除去を不要とできるため好ましい。
【００５１】
次に、本発明の第２実施形態について説明する。
第２実施形態のパンツ型使い捨ておむつについては、第１実施形態との相違点について主として説明し、同様の点については説明を省略する。特に説明しない点は、第１実施形態と同様である。図８には、第１実施形態のおむつの構成要素等と同様の構成要素等に同一の符号を付してある。
【００５２】
第２実施形態のおむつ１’においては、表面シート３１が、吸収体３３の裏面側に巻き下げられており、吸収体３３の裏面シート３２側における吸収体３３の側縁から離間した位置に、表面シート３１の巻き下げられた部分と側部シート部３４形成用のシート材３５とが接合された接合点８１が形成されている。おむつ１’における吸収体３３は、股下部Ｃに配された部分に左右一対の折曲誘導部３３３を備えた平面視矩形状の下部吸収性コア３３１と、下部吸収性コア３３１より小型で、下部吸収コア３３１上に積層された上部吸収性コア３３２と、これらを被覆するコアラップシート（図示略）から形成されている。折曲誘導部３３３は、パルプ繊維等の吸収性コアの構成材料が配されていない欠落部、吸収性コアの構成材料が他の部分に比して少ない低坪量部、スリット等であり、曲げ剛性を低減して、吸収体３３の両側部が立ち上がり易くするものである。
第２実施形態のおむつ１’も、第１実施形態と同様に、側部シート部３４及び立体ギャザー形成部３８を有しており、それらは股下部Ｃにおいて、側部ギャザー及び立体ギャザー３８ｃを形成するが、それらの起立端を形成する線状接合部３０は、折り返して相対向させたシート材３５どうしを接合して形成されている。
【００５３】
第２実施形態のおむつ１’においても、図８（ｃ）に示すように、側部シート部３４は、おむつ横方向の外方側に倒した状態で腹側シート部材２Ａ又は２Ｂに固定されており、図８（ａ）に示すように、腹側伸縮部３６ａの長さＬ１が、背側伸縮部３６ｂの長さＬ２よりも長くなっている。そのため、第２実施形態のおむつ１’においても、第１実施形態と同様の作用効果が奏し得られる。
【００５４】
以上、本発明をその好ましい実施形態に基づき説明したが、本発明は上述した実施形態に制限されず適宜変更可能である。
例えば、吸収性本体３は、立体ギャザー形成部を有しないものであっても良い。
【００５５】
また、吸収性本体３は、腹側延出部２１ａに固定されている幅Ｗａと背側延出部２１ｂに固定されている幅Ｗｂとが同一であっても良い。
また、胴回り伸縮部Ｇ２を、腹側シート部材２Ａ及び／又は背側シート部材２Ｂの全幅に亘るように形成しても良く、延出部伸縮部Ｇ３も、腹側シート部材２Ａ及び／又は背側シート部材２Ｂの全幅に亘るように形成しても良い。
【００５６】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していてもよい。
【００５７】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００５８】
１，１’  パンツ型使い捨ておむつ（パンツ型吸収性物品）
２Ａ  腹側シート部材
２ａ，２ａ  側縁部
２ａ’  接合部
２ａ”  非接合部
２０ａ  腹側本体部
２１ａ  腹側延出部
２Ｂ  背側シート部材
２ｂ，２ｂ  側縁部
２ｂ’  接合部
２ｂ”  非接合部
２０ａ  背側本体部
２１ｂ  背側延出部
２２  外層シート
２３  内層シート
２４  横方向弾性部材
３  吸収性本体
３１  表面シート
３２  裏面シート
３３  吸収体
３３ａ  吸収性コア
３４  側部シート部
３４ｃ  伸縮領域
３５  側部シート部を構成するシート材
３６  弾性部材
３６ａ  腹側伸縮部
３６ｂ  背側伸縮部
４  サイドシール部
５  ウエスト開口部
６  レッグ開口部
Ａ  腹側部
Ｂ  背側部
Ｃ  股下部
Ｇ１  ウエスト伸縮部
Ｇ２  胴回り伸縮部
Ｇ３  延出部伸縮部
【図１】
0005592737.tif 000002
【図２】
0005592737.tif 000003
【図３】
0005592737.tif 000004
【図４】
0005592737.tif 000005
【図５】
0005592737.tif 000006
【図６】
0005592737.tif 000007
【図７】
0005592737.tif 000008
【図８】
0005592737.tif 000009